(57)【要約】本発明では、安全靴用の弾性構造体及びこれを含む安全靴に関して提案する。一実施形態に係る安全靴用の弾性構造体３００は、インソール４０の下部と踏抜き防止板２０の上部との間に配置されるミッドソール３０内に形成され、上部面３１０から下部面３２０に向かって所定の深さだけ凹んだ複数の上部凹溝３３０を備え、前記複数の上部凹溝３３０のそれぞれは個別的に形状が変形可能である。ここで、着用者の足による圧力が加えられる加圧地点に位置する上部凹溝の形状は、前記足による圧力と前記踏抜き防止板２０によって前記弾性構造体３００が初期状態に比べて上下方向に圧縮されることにより変形され、前記足による圧力が解除されることで前記初期状態に復元され、前記加圧地点に位置する上部凹溝の形状が変形されてから復元されることにより、前記加圧地点に位置する上部凹溝内に圧縮されたエアーが周辺に発散されることを特徴とする。
2020503904.tif 000002
【特許請求の範囲】
【請求項１】
履物に装着される弾性構造体であって、
着用者の足とアウトソールの上部との間に配置されるインソールに形成され、上部面から下部面に向かって所定の深さだけ凹んだ複数の上部凹溝を備え、
前記複数の上部凹溝のそれぞれは個別的に形状が変形可能であり、
前記足による圧力が加えられる加圧地点に位置する上部凹溝の形状は、前記着用者の足の直接的な上下圧力によって前記弾性構造体が初期状態に比べて上下方向に圧縮されることにより変形され、前記着用者の足による圧力が解除されることで前記初期状態に復元され、
前記加圧地点に位置する上部凹溝の形状が変形されてから復元されることにより、前記加圧地点に位置する上部凹溝内に誘導されたエアーが前記インソール上部に付着され、前記着用者の足と直接接触する部材を通過して前記加圧地点に対応する足裏の意図的な地点に向かって発散されることにより、前記エアーによる力が前記意図的な地点を叩くようになることを特徴とする弾性構造体。
【請求項２】
前記弾性構造体３００は、下部面３２０から上部面３１０に向かって所定の深さだけ凹んだ複数の下部凹溝３５０をさらに備え、
前記複数の下部凹溝３５０のそれぞれは、前記複数の上部凹溝３３０のそれぞれと前記弾性構造体３００の上下方向に対応する位置に形成されたものである、請求項１に記載の弾性構造体。
【請求項３】
前記弾性構造体３００は複数の支持部３４０をさらに含み、
前記複数の支持部３４０は、下部面３２０に比べて下側に突出して前記複数の上部凹溝３３０のそれぞれと前記弾性構造体３００の上下方向に対応する位置に形成されたものである、請求項１に記載の弾性構造体。
【請求項４】
履物に装着される弾性構造体であって、
着用者の足とアウトソールとの間に配置されるミッドソールに形成され、上部面から下部面に向かって所定の深さだけ凹んだ複数の上部凹溝を備え、
前記複数の上部凹溝のそれぞれは個別的に形状が変形可能であり、
前記足による圧力が加えられる加圧地点に位置する上部凹溝の形状は、前記着用者の足の上下圧力によって前記弾性構造体３００が初期状態に比べて上下方向に圧縮されることにより変形され、前記着用者の足による圧力が解除されることで前記初期状態に復元され、
前記加圧地点に位置する上部凹溝の形状が変形されてから復元されることにより、前記加圧地点に位置する上部凹溝内に誘導されたエアーが前記ミッドソール上部に付着され、前記着用者の足と直接接触する部材を通過して前記加圧地点に対応する足裏の意図的な地点に向かって発散されることにより、前記エアーによる力が前記意図的な地点を叩くようになることを特徴とする弾性構造体。
【請求項５】
前記弾性構造体３００は、下部面３２０から上部面３１０に向かって所定の深さだけ凹んだ複数の下部凹溝３５０をさらに備え、
前記複数の下部凹溝３５０のそれぞれは、前記複数の上部凹溝３３０のそれぞれと前記弾性構造体３００の上下方向に対応する位置に形成されたものである、請求項３に記載の弾性構造体。
【請求項６】
前記弾性構造体３００は複数の支持部３４０をさらに含み、
前記複数の支持部３４０は、下部面３２０に比べて下側に突出して前記複数の上部凹溝３３０のそれぞれと前記弾性構造体３００の上下方向に対応する位置に形成されたものである、請求項３に記載の弾性構造体。
【発明の詳細な説明】
【技術分野】
【０００１】
本発明は、整形機能を有する安全靴用の弾性構造体及びこれを含む安全靴に関する。
【背景技術】
【０００２】
一般的に、履物は足を保護する目的として用いられ、時代と流行の変遷と共にデザイン及び機能が様々に変化して発展し、特殊の目的を有する履物（例えば、安全靴）のみならず、一般的な目的を有する履物（例えば、運動靴やワーキングシューズ）にも機能性を強調する傾向があり、多くの履物は、通風性と排水性が強調され、さらに、安全性まで強調する履物が登場することになった。
【０００３】
すなわち、特殊の目的を有する履物だけではなく、運動靴やワーキングシューズのように、一般的な目的を有する履物にも機能的かつ安全が保障される履物が関連産業のトレンドとなり、今日では履物の底面がふっくらするように曲がって歩行時に高い運動効果を提供し得る履物が脚光を浴びている。このような種類の履物として、大韓民国特許登録番号第７０６６１０号のシーソー履物の靴底が開示されている。
【０００４】
一方、特殊の目的を有する履物の一例として、安全靴は産業災害が発生したとき歩行者あるいは勤労者の傷害を軽減するために用いられる履物である。
【０００５】
国内の場合、産業安全保健基準に関する規則第３２条において、事業主が物体の落下／衝撃、物体への挟まり、感電又は静電気の帯電による危険のある作業に努めている勤労者に、その作業条件に適する保護具である安全靴を支給して着用させなければならないと規定し、各国ごとにこれに準ずる規定をもって勤労者の安全を試みている。
【０００６】
一方、安全靴は一般的な履物とは異なり、一定規格及び性能を満足するように製造されなければならず、国内の場合、韓国産業安全保健公団で安全靴に対する認証を行っている。
【０００７】
安全靴は、外部による衝撃ないし危険から着用者の足を保護する目的で製造されているため、一般的な履物で発見されない構成であるトーキャップ（ｔｏｅ−ｃａｐ）、踏抜き防止板（ｐｅｎｅｔｒａｔｉｏｎ−ｒｅｓｉｓｔａｎｔ  ｉｎｓｅｒｔ）などが含まれている。これによって安全靴は極めて重いだけではなく、着用感も低下され、一般的に長時間続く産業環境における作業の特性上、着用者は柔軟性が足りない安全靴によって疲労感を頻繁に感じることになる。また、安全靴を着用すれば、一般的な履物を着用した場合に比べて、筋骨格系に伝えられる衝撃圧力が２０ないし１００％以上加重される問題もある。
【０００８】
このような問題を改善するために、韓国登録特許第１０−１７０５１４４号（発明の名称：踏抜き防止板の一体型の靴底と通気性の優れるミッドソールを備えた安全靴及びその製造方法）では、踏抜き防止板が靴底と一体化し、ミッドソールは通気性の優れた構造を有する安全靴に関する技術を提案している。
【発明の概要】
【発明が解決しようとする課題】
【０００９】
本発明の一実施形態は、機械的な構造及び作用によって着用者の体の不均衡及び病気を改善しながら、筋力を強化させ得る弾性構造体及びこれを含む履物を提供することを一目的とする。
【００１０】
本発明の他の実施形態は、踏抜き防止板などの安全靴に必須的に挿入される構成を備えることで、着用感の低下、疲労度の増大、及び衝撃／圧力発生などの問題を解決しながら、体を正すための整形機能を有する弾性構造体及びこれを含む安全靴を提供することにその目的がある。
【００１１】
本発明の他の実施形態は、機械的な構造及び作用によって着用者の体の不均衡及び病気を改善しながら、筋力を強化させ得る弾性構造体及びこれを含む安全靴を提供することを更なる目的とする。
【００１２】
ただし、本実施形態を達成するための技術的な課題は、上述したような技術的な課題に限定されることなく、更なる技術的な課題がある。
【課題を解決するための手段】
【００１３】
本発明の一実施形態によれば、履物に装着される弾性構造体において、着用者の足とアウトソールの上部との間に配置されるインソールに形成され、上部面から下部面に向かって所定の深さだけ凹んだ複数の上部凹溝を備え、前記複数の上部凹溝それぞれは個別的に形状が変形可能であり、前記足による圧力が加えられる加圧地点に位置する上部凹溝の形状は、前記着用者の足の直接的な上下圧力によって前記弾性構造体が初期状態に比べて上下方向に圧縮されることにより変形され、前記着用者の足による圧力が解除されることで前記初期状態に復元され、前記加圧地点に位置する上部凹溝の形状が変形されてから復元されることで、前記加圧地点に位置する上部凹溝内に誘導されたエアーが前記インソール上部に付着され、前記着用者の足と直接接触する部材を通過して前記加圧地点に対応する足裏の意図的な地点に向かって発散されることにより、前記エアーによる力が前記意図的な地点を叩くようになることを特徴とする弾性構造体が提供される。
【００１４】
本発明の他の実施形態によれば、履物に装着される弾性構造体において、着用者の足とアウトソールとの間に配置されるミッドソールに形成され、上部面から下部面に向かって所定の深さだけ凹んだ複数の上部凹溝を備え、前記複数の上部凹溝それぞれは個別的に形状が変形可能であり、前記足による圧力が加えられる加圧地点に位置する上部凹溝の形状は、前記着用者の足の上下圧力によって前記弾性構造体３００が初期状態に比べて上下方向に圧縮されることにより変形され、前記着用者の足による圧力が解除されることで前記初期状態に復元され、前記加圧地点に位置する上部凹溝の形状が変形されてから復元されることで、前記加圧地点に位置する上部凹溝内に誘導されたエアーが前記ミッドソール上部に付着され、前記着用者の足と直接接触する部材を通過して前記加圧地点に対応する足裏の意図的な地点に向かって発散されることにより、前記エアーによる力が前記意図的な地点を叩くようになることを特徴とする弾性構造体が提供される。
【００１５】
上述した弾性構造体が着用された履物が提供される。ここで、履物は、一般的な目的の履物と特殊の目的のための履物の全てを含む。
【発明の効果】
【００１６】
一実施形態に係る弾性構造体及びこれを含む安全靴は、従来における安全靴の不便ないし着用感の減少を改善し、機械的な構造及び作用によって圧力、衝撃ないし荷重を吸収、分散、緩衝、減少させることができる。
【００１７】
また、一実施形態に係る弾性構造体及びこれを含む安全靴は、圧力偏差により個別的に変形及び復元される上部凹溝を含むことによって、発散されるエアーを介して体の不均衡及び病気を改善することができる。
【００１８】
また、一実施形態に係る弾性構造体及びこれを含む安全靴は、着用者の一般的な歩行過程を介して筋骨格系の退化及び損傷などを予防しながら、血流の流れなどを改善することができ、産業現場で長時間勤める着用者が感じる疲労感を著しく減少させることができる。
【図面の簡単な説明】
【００１９】
【図１】本発明の一実施形態に係る弾性構造体を含む安全靴の各構成を分解して示す図である。
【図２ａ】本発明の一実施形態に係る弾性構造体を含むミッドソールの上部面と下部面をそれぞれ示す図である。
【図２ｂ】本発明の一実施形態に係る弾性構造体を含むミッドソールの側面図である。
【図３ａ】複数の上部凹溝、下部凹溝、及び空いている空間を有する弾性構造体の側面を例示的に示す図である。
【図３ｂ】複数の上部凹溝及び支持部を有する弾性構造体の側面を例示的に示す図である。
【図４ａ】本発明の一実施形態に係る上部凹溝の形状が変形されてから復元される過程を示す図である。
【図４ｂ】本発明の一実施形態に係る上部凹溝の形状が変形されてから復元される過程を示す図である。
【図５ａ】本発明の一実施形態に係る上部凹溝の位置と足裏の反射区との間の相関関係を説明するための図である。
【図５ｂ】本発明の一実施形態に係る上部凹溝の位置と脊椎の反射区との間の相関関係を説明するための図である。
【図５ｃ】本発明の一実施形態に係る上部凹溝の位置と足裏の反射区との間の相関関係を説明するための図である。
【図５ｄ】本発明の一実施形態に係る上部凹溝の位置と脊椎の反射区との間の相関関係を説明するための図である。
【図６】本発明の一実施形態に係る上部凹溝の位置と着用者の体測定結果との間の相関関係を説明するための図である。
【図７ａ】本発明の一実施形態に係る弾性構造体を含むインソールの上部面と下部面をそれぞれ示す図である。
【図７ｂ】本発明の一実施形態に係る弾性構造体を含むインソールの側面図である。
【図８】本発明の一実施形態に係る弾性構造体を含む安全靴による体の不均衡改善程度を示す図である。
【発明を実施するための形態】
【００２０】
以下は、添付の図面を参照して本発明が属する技術分野で通常の知識を有する者が容易に実施するよう本発明の実施形態を詳細に説明する。しかし、本発明は、様々な異なる形態で実現され、ここで説明する実施形態に限定されることはない。そして、図面で本発明を明確に説明するために説明と関係のない部分は省略した。
【００２１】
明細書の全体において、いずれかの部分が他の部分と「結合」されているとき、該当の用語は「連結」、「接合」、「締結」、「結束」などと実質的に同等な意味を有し、いずれかの構成要素がどこかに「設置」されているとき、該当の用語は「配置」、「配列」などと実質的に同等な意味を有する。
【００２２】
また、いずれかの部分がいずれかの構成要素を「含む」とするとき、これは特に反対となる記載がなければ、他の構成要素を除外するものではなく、他の構成要素をさらに含むことを意味する。また、いずれかの構成要素がいずれかの部分といずれかの部分の「間」に位置するとき、いずれかの構成要素の「全ての部分」のみならず、「一部分」がいずれかの部分からいずれかの部分までの距離、空間又は領域内に位置する場合まで含み、「上下方向」は図面に矢印で示した方向を意味する。
【００２３】
本願明細書において、「履物」は、特殊目的のための履物と一般目的のための履物を全て含む意味として使用することにする。ここで、特殊目的のための履物は、例えば、安全靴のような履物であってもよく、一般目的のための履物は、例えば、運動靴、ワーキングシューズ、メンズシューズのような履物であってもよい。また、上述した安全靴、運動靴、ワーキングシューズ、メンズシューズなどは履物の例示的なものであり、他の種類や用途のものなども全て履物に含む概念として用いられる。
【００２４】
本発明で提案する「安全靴」は、要求される規格及び性能を満足するように製造されたものであり、「弾性構造体」は、上記の安全靴に含まれる一構成として、着用者の足と安全靴の内部構成との間の相互作用によってその形状が変形されてから初期の状態に復元され得る。
【００２５】
以下、添付の図面を参考して本発明の様々な実施形態を詳細に説明することにする。一方、図示する実施形態は安全靴に関し、これは本願発明の例示的なものであり、安全靴のみならず、他の特殊の目的を有する履物にも本願発明の権利範囲に及ばされ、さらに、運動靴やワーキングシューズのような一般的な目的の履物にも本願発明の権利範囲が及ばされる。本願発明が一般的な目的の履物に適用される場合には、本願発明の実施形態によって説明された安全靴で踏抜き防止板２０とトーキャップ５０を除いた構成により実現されてもよい。例えば、本願発明の一実施形態に係る一般靴は、アウトソール１０、ミッドソール３０、インソール４０、及び甲皮６０を含み、踏抜き防止板２０とトーキャップ５０は含まないように構成され、このアウトソール１０、ミッドソール３０、インソール４０、及び甲皮６０の構成及び機能は、安全靴と同一又は類似する。以下、安全靴を例にして本願発明の様々な実施形態について説明する。
【００２６】
図１は、本発明の一実施形態に係る弾性構造体を含む安全靴の各構成を分解して示す図である。
【００２７】
本発明の一実施形態に係る安全靴は、アウトソール１０、踏抜き防止板２０、ミッドソール３０、インソール４０、トーキャップ５０、及び甲皮６０を含む。
【００２８】
アウトソール１０は、安全靴の外形を構成しながら底と直接に接触することになるため、容易に損傷されたり滑らない素材から構成される。
【００２９】
踏抜き防止板２０は、数センチメートル（ｃｍ）の厚さのシート（ｓｈｅｅｔ）であって、安全靴の底を突き抜ける危険から着用者の足を保護する役割を果たす。踏抜き防止板２０を製造するために、スチール、防弾繊維、及び／又は防刃素材などが使用される。図１には、踏抜き防止板２０がアウトソール１０とミッドソール３０との間に配置されているものが図示されているが、これとは異なって（ａｌｔｅｒｎａｔｉｖｅｌｙ）、踏抜き防止板２０がミッドソール３０とインソール４０との間に配置されてもよい。一方、上述したように、本願発明が一般の目的を有する履物として適用される場合には、踏抜き防止板２０が必要でないため、ミッドソール３０とアウトソール１０が直接接触する構成を有する。これに対する例示的な実施形態は、図７ａ及び図７ｂを参照して後述する。
【００３０】
ミッドソール３０は、アウトソール１０とインソール４０との間に配置されて底からの衝撃を減少させ得る。ミッドソール３０は、例えば、ゴム、ウレタン、ＰＵ、ＴＰＲ、ＰＶＣ、及び／又はシリコンなどの弾性力を有する素材から製造されてもよい。本発明の一実施形態に係る弾性構造体は、ミッドソール３０内に形成されてもよい。
【００３１】
インソール４０は、着用者の足と直接向かい合う構成として中敷きと呼ばれている。インソール４０は、足で発生する汗と安全靴の内部の湿気を吸収してクッションの役割を果たす。インソール４０もミッドソール３０のように、例えば、ゴム、ウレタン、ＰＵ、ＴＰＲ、ＰＶＣ、及び／又はシリコンなどの弾性力を有する素材から製造されてもよい。本発明の代案的な実施形態によれば、弾性構造体は、インソール４０内に形成されてもよい。
【００３２】
トーキャップ５０は、着用者の足の指を取り囲むように安全靴の先端部に形成される。トーキャップ５０を製造するためにスチール、及び／又は強化プラスチック素材などが用いられる。上述したように、本願発明が一般の目的を有する履物に適用される場合にはトーキャップ５０を必要としない。
【００３３】
甲皮６０は、アウトソール１０と共に安全靴の外形を構成しながら着用者の足の全般を取り囲む。
【００３４】
図２ａは、本発明の一実施形態に係る弾性構造体を含むミッドソールの上部面と下部面をそれぞれ示す図であり、図２ｂは、本発明の一実施形態に係る弾性構造体を含むミッドソールの側面図である。
【００３５】
本発明の一実施形態に係る弾性構造体３００は、インソール４０の下部と踏抜き防止板２０の上部との間に配置されるミッドソール３０内に形成される。弾性構造体３００がミッドソール３０の前端部と後端部とに分離して示されているが、これに限定されることなく、中断部に形成されてもよい。また、本実施形態において、弾性構造体３００がミッドソール３０の前端部と後端部に分離し、実施形態によって弾性構造体３００がミッドソール３０の前端部や後端部のいずれか一箇所に位置する構成も実現可能であろう。
【００３６】
一方、上述したように、弾性構造体３００がインソール４０に形成されるようにする代案的な実施形態が可能である。インソール４０の形状とミッドソール３０の形状は全体的に類似しているため、ミッドソール３０に適用された弾性構造体３００をインソール４０に適用させることは、本願発明が属する技術分野に従事している者であれば、容易に行うものであろう。これに対する例示的な実施形態について、図７ａ及び図７ｂを参照して後述することにする。
【００３７】
ミッドソール３０は、下側に踏抜き防止板２０が挿入されるよう内側方向への段差３２を置いていてもよく、弾性構造体３００は、ミッドソール３０と別に射出成形されてミッドソール３０に予め形成されている貫通孔３４に結合されてもよい。
【００３８】
一方、本発明が一般目的を有する履物、例えば、運動靴、ワーキングシューズ、又は、メンズシューズに適用される場合、踏抜き防止板２０がない構成を有するため、ミッドソール３０に形成された段差３２を必要としないこともある。
【００３９】
弾性構造体３００は、その上部面３１０から下部面３２０に向かって所定の深さだけ凹んだ複数の上部凹溝３３０（３３０ａ、３３０ｂ、３３０ｃ、３３０ｄ）を備える。
【００４０】
一実施形態によれば、複数の上部凹溝３３０（３３０ａ、３３０ｂ、３３０ｃ、３３０ｄ）のそれぞれは、個別的に形状が変形可能なように構成される。本実施形態において、複数の上部凹溝３３０（３３０ａ、３３０ｂ）はミッドソール３０の上部面３１０に形成される。
【００４１】
一方、上述した「個別的に形状が変形」されることは、着用者に応じて凹溝それぞれの変形の程度や形状が異なることを意味する。すなわち、着用者の体重、足の形、歩く習慣によって、複数の上部凹溝３３０（３３０ａ、３３０ｂ、３３０ｃ、３３０ｄ）のそれぞれに加えられる圧力及び／又は圧力方向が異なり、これに適するように、複数の上部凹溝３３０（３３０ａ、３３０ｂ、３３０ｃ、３３０ｄ）のそれぞれが変形の程度や形状が異なる。
【００４２】
一例として、本発明の一実施形態に係る弾性構造体３００が適用された履物（特殊な目的を有する履物と一般的な目的を有する履物を含む）をユーザが着用したとき、ミッドソール３０の前端部に位置する第１グループの上部凹溝３３０ａ，３３０ｂの形状が変形されても、ミッドソール３０の後端部に位置する第２グループの上部凹溝３３０ｃ，３３０ｄの形状は変形されないこともある。或いは（Ａｌｔｅｒｎａｔｉｖｅｌｙ）、ミッドソール３０の前端部に位置する第１グループの上部凹溝のうち、一部の上部凹溝の形状のみが変形されてもよい。
【００４３】
また、複数の上部凹溝３３０（３３０ａ、３３０ｂ、３３０ｃ、３３０ｄ）は、ミッドソール３０の前端部に形成された上部凹溝３３０ａ，３３０ｂ（以下、「第１グループの上部凹溝」）とミッドソール３０の後端部に形成された上部凹溝３３０ｃ，３３０ｄ（以下、「第２グループの上部凹溝」）からなり、それぞれ所定の基準に応じて設定された位置に形成される。
【００４４】
また、弾性構造体３００は、弾性構造体３００を上下方向に貫通するよう形成された複数の通気路３７０をさらに含んでもよい。この通気路３７０は、安全靴の内部の空気循環に役に立つ。
【００４５】
図２ａ及び図２ｂを続けて参照すると、弾性構造体３００は、その下側に複数の支持部３４０（３４０ａ、３４０ｂ、３４０ｃ、３４０ｄ）をさらに含んでもよい。複数の支持部３４０（３４０ａ、３４０ｂ、３４０ｃ、３４０ｄ）は、ミッドソール３０の下部面３２０に位置し、下部面３２０に比べて下側に突出して複数の上部凹溝３３０のそれぞれと弾性構造体３００の上下方向に対応する位置に形成される。
【００４６】
すなわち、上部凹溝３３０の下部方向への延長線（仮想の線）上に、複数の支持部３４０（３４０ａ、３４０ｂ、３４０ｃ、３４０ｄ）が位置する。一方、本願発明の説明の目的のために、上部凹溝３３０の下部方向への延長線（仮想の線）上にいずれかの構成要素が位置する場合、上部凹溝３３０とその構成要素は、「位置的に１：１マッチング」又は簡略に「１：１マッチング」されると言及することにする。
【００４７】
複数の上部凹溝３３０の全てが複数の支持部３４０（３４０ａ、３４０ｂ、３４０ｃ、３４０ｄ）の全てと１：１マッチングされる必要はないが、好ましくは、複数の上部凹溝３３０の１／３以上が複数の下部凹溝３５０の１／３以上とそれぞれ１：１マッチングされてもよい。ここで、数値「１／３」は例示的なものである。
【００４８】
上部凹溝３３０と支持部３４０のそれぞれの形状と１：１マッチングの構造は様々に変形され、これに対する異なる例示的な実施形態について図３ｂを参照して後述する。
【００４９】
上述した構成によって、着用者の足Ｆによる圧力が加えられる加圧地点に位置する上部凹溝の形状は、足Ｆによる圧力と踏抜き防止板２０によって弾性構造体３００が初期状態に比べて上下方向に圧縮されることにより変形され、足Ｆによる圧力が解除されることにより初期状態に復元される。すなわち、足Ｆによる圧力が上方から下方向に加えられれば、弾性構造体３００が足Ｆと踏抜き防止板２０との間で圧縮され、弾性構造体３００の厚さが初期状態に比べて減少される。
【００５０】
ここで、加圧地点に位置する上部凹溝の形状が変形されてから復元されることで、加圧地点に位置する上部凹溝内に圧縮されたエアーが周辺に発散される。
【００５１】
このように、弾性構造体３００は、機械的な構造により圧力を吸収、分散、減少させるだけではなく、上部凹溝で発散されるエアーを介して体の不均衡及び病気を改善することができる。
【００５２】
一方、本発明が一般目的を有する履物、例えば、運動靴、ワーキングシューズ、又は、メンズシューズに適用される場合、踏抜き防止板２０がない構成を有する。したがって、着用者の足Ｆによる圧力が加えられる加圧地点に位置する上部凹溝の形状は、足Ｆによる圧力とアウトソール１０によって弾性構造体３００が初期状態に比べて上下方向に圧縮されることにより変形され、足Ｆによる圧力が解除されることで初期状態に復元される。すなわち、足Ｆによる圧力が上から下方向に加えられれば、弾性構造体３００が足Ｆとアウトソール１０との間で圧縮され、弾性構造体３００の厚さが初期状態に比べて減少する。このような構成による上部凹溝の形状の変形や復元とエアーの発散などの技術的な効果は、上述した安全靴のものと同一又は類似している。
【００５３】
以下、本発明で提案する弾性構造体３００の他の実施形態を図３ａを参照して説明する。
【００５４】
図３ａは、複数の上部凹溝、下部凹溝、及び空いている空間を有する弾性構造体の側面を例示的に示す図である。
【００５５】
図３ａを参照して説明する実施形態（以下、「図３ａの実施形態」）に係る弾性構造体３００は、複数の上部凹溝３３０、複数の下部凹溝３５０、及び空いている空間３６０を含んで構成される。
【００５６】
図３ａの実施形態において、上部凹溝３３０と複数の下部凹溝３５０は互いに連通しておらず、隣接する上部凹溝３３０の間（又は、隣接する下部凹溝３５０の間）には空いている空間３６０が位置する。
【００５７】
図３ａの実施形態に係る弾性構造体３００は、インソール４０の下部と踏抜き防止板２０の上部との間に配置されるミッドソール３０内に形成される。弾性構造体３００がミッドソール３０の前端部と後端部に分離して図示されているが、これに限定されることなく、中断部に形成されてもよい。また、本実施形態において、弾性構造体３００がミッドソール３０の前端部と後端部に分離され、実施形態によって弾性構造体３００がミッドソール３０の前端部や後端部のいずれか一箇所に位置する構成も実現可能であろう。一方、上述したように、弾性構造体３００がインソール４０に形成されるようにする代案的な実施形態が可能である。
【００５８】
以下、図３ａの実施形態を詳細に説明するが、図１、図２ａ、図２ｂを参照して説明した実施形態と構成的に共通している説明は省略し、差異点を主に説明することにする。
【００５９】
図３ａを参照すると、複数の下部凹溝３５０のそれぞれは、下部面３２０から上部面３１０に向かって所定の深さだけ凹んだ形状であり、複数の上部凹溝３３０のそれぞれと弾性構造体３００の上下方向に対応する位置に形成される。すなわち、上部凹溝３３０の下部方向への延長線（仮想の線）上に複数の下部凹溝３５０が位置する。すなわち、複数の上部凹溝３３０と複数の下部凹溝３５０は、位置的に１：１マッチング又は１：１マッチングされる構造を有する。
【００６０】
複数の上部凹溝３３０の全てが複数の下部凹溝３５０の全てに対応する位置に形成される必要はないが、好ましくは、複数の上部凹溝３３０の１／３以上が複数の下部凹溝３５０の１／３以上にそれぞれ対応する位置に位置する。ここで、数値「１／３」は例示的なものである。
【００６１】
図３ａに示すように、複数の上部凹溝３３０のそれぞれは、複数の下部凹溝３５０のそれぞれは１：１にマッチングされて向かい合っている形態であってもよく、弾性構造体３００は、複数の下部凹溝３５０の間にそれぞれ形成された複数の支持部３４０によって支持されてもよい。
【００６２】
また、複数の上部凹溝３３０は、弾性構造体３００の上部面３１０からｄ１だけ凹んでもよく、複数の下部凹溝３５０は、弾性構造体３００の下部面３２０からｄ２だけ凹んでもよく、その形状は使用用途及び目的に応じて、Ｕ、Ｖ、逆コの形状に様々に変形され得る。図３ａを参照すると、二重３段Ｕ字型の変形例示、二重２段Ｕ字型の変形例示、二重２段Ｖ字型の変形例示、二重３段Ｖ字型の変形例示、二重３段逆コ字型の変形例示などが順に図示されている。
【００６３】
初期状態で複数の支持部３４０は、踏抜き防止板２０の上部と接していたり、圧力が加えられる前まで所定の距離をおいて離れていてもよく、弾性構造体３００の下部面３２０と同一線上にあるか、下部面３２０よりも下側に突出していてもよい。
【００６４】
また、一例に係る弾性構造体３００は、その内部に複数の下部凹溝３５０及び上部凹溝３３０と区分される複数の空いている空間３６０を有し、複数の下部凹溝３５０のそれぞれと複数の空いている空間３６０のそれぞれは個別的に形状が変形可能である。
【００６５】
複数の空いている空間３６０のそれぞれは、足Ｆと踏抜き防止板２０との間で初期状態に比べて上下方向に圧縮されることにより変形されてもよく、足Ｆによる圧力がなくなると初期状態に復元され得る。
【００６６】
以下、本発明で提案する弾性構造体３００の他の実施形態を図３ｂを参照して説明する。図３ｂを参照して説明する実施形態に係る弾性構造体３００は、図１、図２ａ、及び図２ｂを参照して説明した実施形態における弾性構造体３００の変形例である。
【００６７】
図３ｂを参照して説明する実施形態（以下、「図３ｂの実施形態」）に係る弾性構造体３００は、複数の上部凹溝３３０と支持部３４０を含む構成を有する。
【００６８】
図３ｂの実施形態において、複数の支持部３４０は、下部面３２０に比べて下側に突出して複数の上部凹溝３３０のそれぞれと弾性構造体３００の上下方向に対応する位置に形成される。すなわち、上部凹溝３３０と支持部３４０はそれぞれ１：１マッチング構造を有する。
【００６９】
図３ｂの実施形態に係る弾性構造体３００は、インソール４０の下部と踏抜き防止板２０の上部との間に配置されるミッドソール３０内に形成される。弾性構造体３００がミッドソール３０の前端部と後端部に分類して図示されているが、これに限定されることなく、中断部に形成されてもよい。また、本実施形態において、弾性構造体３００がミッドソール３０の前端部と後端部に分離されているが、実施形態によって、弾性構造体３００がミッドソール３０の前端部や後端部のいずれか一箇所に位置する構成も実現可能であろう。一方、上述したように、弾性構造体３００がインソール４０に形成されるようにした代案的な実施形態が可能である。
【００７０】
以下、図３ｂの実施形態を詳細に説明するが、他の実施形態と構成的に共通する説明は省略し、差異点を主に説明することにする。
【００７１】
図３ｂの実施形態は、図２ａ及び図２ｂに示された実施形態と同様に、複数の上部凹溝３３０のそれぞれと複数の支持部３４０のそれぞれは１：１にマッチングされて向かい合う形態であってもよい。
【００７２】
図３ｂの実施形態において、上部凹溝３３０と複数の支持部３４０は、互いに連通されておらず、隣接する上部凹溝３３０の間（又は、隣接する支持部３４０の間）に凹溝３２０が位置する。
【００７３】
また、図３ｂに示すように、複数の上部凹溝３３０は、弾性構造体３００の上部面３１０から所定の距離ｄ１だけ凹んでもよく、その形状は使用用途及び目的に応じて、Ｕ、Ｖ、又は逆コなどのような形状のように様々に変形されてもよい。図３ｂを参照すると、４段逆コ字型の変形例示、２段Ｕ字型の変形例示、２段Ｖ字型の変形例示、３段Ｖ字型の変形例示、３段逆コ字型の変形例示などが順に図示されている。
【００７４】
初期状態で複数の支持部３４０は、踏抜き防止板２０の上部と接したり、圧力が加えられる前まで所定の距離をおいて離れてもよく、弾性構造体３００の下部面３２０と同一線上にあるか、下部面３２０よりも下側に突出していてもよい。
【００７５】
以下、図４を参照して、本願発明に係る弾性構造体３００に適用される上部凹溝、下部凹溝、及び支持部の他の例示的な構造について説明し、そのような構造を参照して本願発明による作用について説明する。一方、図４を参照して説明した本願発明による作用は、他の図面を参照して説明した実施形態においても適用されることは勿論である。
【００７６】
図４ａ及び図４ｂは、本発明の一実施形態に係る上部凹溝の形状が変形されてから復元される過程を示す図である。図４には、図３ａを参考して説明した一例に係る弾性構造体３００（上部凹溝と下部凹溝が１：１マッチングされた構造）が図示され、図４ｂには、図３ｂ（上部凹溝と支持部が１：１マッチングされた構造）を参考して説明した異なる例に係る弾性構造体３００が図示されている。
【００７７】
図４ａを参照すると、（ａ）初期状態は図示するように、一例に係る弾性構造体３００は、上下方向に互いに向かい合っている（すなわち、１：１マッチング）上部凹溝３３０と下部凹溝３５０、各凹溝と区分され空いている空間３６０を備える。弾性構造体３００の上部面３１０は、インソール４０の下部と相対しており、弾性構造体３００の下部面３２０は、一種の支持部３４０として踏抜き防止板２０の上部と相対している。これによって、支持部３４０は、重量を伝達するポストの役割を果たす。勿論、一部が互いに接しておらず所定の距離をおいていてもよく、弾性構造体３００の形状は示されたものに制限されることはない。
【００７８】
図４ｂを参照すると、（ａ）初期状態は図示するように、一実施形態に係る弾性構造体３００は、上部凹溝３３０と支持部３４０が１：１マッチングされる構造を有し、弾性構造体３００の上部面３１０はインソール４０の下部と相対しており、支持部３４０は、弾性構造体３００の下部面３２０から下側に突出して踏抜き防止板２０の上部と相対している。これによって、支持部３４０は、重量を伝達するポストの役割を果たす。勿論、一部が互いに接しておらず所定の距離をおいていてもよく、弾性構造体３００の形状は示されたものに制限されることはない。
【００７９】
図４ａ及び図４ｂを共に参照すると、（ｂ）変形状態は図示するように、着用者の足によってインソール４０から圧力Ｐが加えられる場合、各例に係る弾性構造体３００は、踏抜き防止板２０によって反作用力を受けながら初期状態に比べて上下方向に圧縮される。弾性構造体３００は、インソール４０と踏抜き防止板２０との間で圧縮され、その厚さが初期状態に比べて減少される。場合に応じて、弾性構造体３００は、圧縮の際に上下方向の他に左右方向まで変形されながら圧縮されてもよい。
【００８０】
図４ａ及び図４ｂを共に参照すると、（ｃ）の復元状態は図示するように、基本的に図４ａの初期状態と同一である。足が地面から離れたり加圧地点が変わることにより、圧力Ｐが解除されたり弱まり、これによって、弾性構造体３００は初期状態に復元ないし回復される。ここで、上部凹溝３３０の形状が変形されてから復元されることで、その上部凹溝３３０内に圧縮ないし凝縮されたエアーが周辺に発散され、その力は着用者の足に伝えられる。
【００８１】
複数の上部凹溝３３０のそれぞれは、所定の基準に応じて設定された位置に形成され得るため、エアーによる力は足裏の中でも予め意図的な複数の地点に向かって発散される。安全靴を着用したユーザは認知し難しいが、エアーによる力が足裏を叩く効果を発揮し、弾性構造体３００は、単に衝撃緩衝の役割を果たすだけではなく、体の不均衡を予防して改善することができ、筋力を強化するために役に立つ。
【００８２】
以下では、複数の上部凹溝３３０の形成位置について具体的に説明する。
【００８３】
図５ａ及び図５ｂに図示するように、一例に係る複数の上部凹溝３３０の位置は、足裏の反射区又は脊椎の反射区に基づいて設定される。図５ａ及び図５ｃは、本発明の一実施形態に係る上部凹溝の位置と足裏の反射区との間の相関関係を説明するための図であり、図５ｂ及び図５ｄは、本発明の一実施形態に係る上部凹溝の位置と脊椎の反射区との間の相関関係を説明するための図である。
【００８４】
ここで、足裏の反射区は、人の身体の全てが足であるという人体の局所に縮小投影されていることを意味する。図５ａ及び図５ｃに示すように、ミッドソール３０内の弾性構造体３００の各位置（１副腎、２腎臓、３輸尿管、４膀胱、５前頭洞、６脳下垂体、７小脳、８三叉神経、１０大脳、１１首、１４甲状腺、１５目、１６耳、１７僧帽筋、１８肺と気管支、１９心臓、２１胃、２２膵臓、２３十二指腸、２４小腸、２５横行結腸、２９肝臓、３０胆嚢、３１盲腸、３２回盲弁、３３上行結膓、３５生殖腺）には複数の上部凹溝３３０が形成されている。
【００８５】
また、脊椎の反射区は、人の脊椎が足であるという人体の局所に縮小投影されていることを意味する。図５ｂ及び図５ｄに示すように、ミッドソール３０内の弾性構造体３００の各位置（１頸椎、２胸椎、３腰椎、４仙骨、５尾骨）には複数の上部凹溝３３０が形成されている。
【００８６】
複数の上部凹溝３３０の位置は、着用者の体測定結果に基づいて設定される。
【００８７】
図６は、着用者の体測定を説明するための図であり、図６を参照して、本発明の一実施形態に係る上部凹溝の位置と着用者の体測定結果との間の相関関係を説明する。
【００８８】
着用予定者の体測定過程は、例えば、次のようなステップを含んで行われる。
【００８９】
ステップ１：検出装置（ｆｏｏｔ  ｓｃａｎ装備）に着用予定者が乗る。
【００９０】
ステップ２：検出装置と接続されたコンピューティング装置では、専用プログラムないしソフトウェアがインストールされ、図６に例示的に示すような測定結果（足の形状及び体の均衡が反映される）を算出する。
【００９１】
ステップ３：精密に足のサイズを測定するステップ
【００９２】
ステップ４：図５ｃの足裏の反射区や図５ｄの脊椎の反射区、又は５の足裏の反射区を用いて、上記のステップ２とステップ３で測定された結果に反映して上部凹溝の位置を決定するステップ
【００９３】
ここまで説明した本発明の一実施形態に係る弾性構造体は、安全靴に含まれて体を正すための整形機能を有するもので、ミッドソール内に形成されて機械的な構造及び作用を介して圧力を吸収、分散、減少させ得る。また、個別的に変形及び復元される上部凹溝を含む弾性構造体から発散されるエアーを介して、体の不均衡及び病気を改善することができ、筋力を強化することもできる。
【００９４】
一方、図７ａ及び図７ｂを参考して安全靴の他の位置に挿入ないし内蔵される弾性構造体について説明する。
【００９５】
図７ａは、本発明の一実施形態に係る弾性構造体を含むインソールの上部面と下部面をそれぞれ示す図であり、図７ｂは、本発明の一実施形態に係る弾性構造体を含むインソールの側面図である。
【００９６】
本発明の一実施形態に係る弾性構造体３００は、先に説明したミッドソール内に挿入ないし内蔵される弾性構造体３００の特徴と同じ特徴が適用されるため、重複事項に対する説明は省略する。
【００９７】
本発明の一実施形態に係る弾性構造体３００は、着用者の足と向い合って踏抜き防止板２０の上部に配置されるインソール４０内に形成される。弾性構造体３００がインソール４０の前端部と後端部に分類して図示されているが、これに限定されることなく、中断部に形成されてもよい。
【００９８】
インソール４０は、ミッドソール３０よりも相対的に薄い厚さを有し、着用者の足と直接接触する部材４１がインソール４０の上部に付着される。また、弾性構造体３００は、インソール４０と別に射出成形されてインソール４０に予め形成されている貫通孔４４に結合されてもよい。
【００９９】
弾性構造体３００は、その上部面３１０から下部面３２０に向かって所定の深さだけ凹んだ複数の上部凹溝３３０ａ，３３０ｂを備えるが、複数の上部凹溝３３０ａ，３３０ｂのそれぞれは個別的に形状が変形可能である。
【０１００】
例えば、インソール４０の前端部に位置する第１グループの上部凹溝３３０ａの形状が変形されても、インソール４０の後端部に位置する第２グループの上部凹溝３３０ｂの形状は変形されない。
【０１０１】
また、複数の上部凹溝３３０は、インソール４０の前端部に形成された第１グループの上部凹溝３３０ａと、インソール４０の後端部に形成された第２グループの上部凹溝３３０ｂからなるが、それぞれ所定の基準に応じて設定された位置に形成され得る。
【０１０２】
さらに、着用者の足Ｆによる圧力が加えられる加圧地点に位置する上部凹溝の形状は足Ｆによる圧力と踏抜き防止板２０によって弾性構造体３００が初期状態に比べて上下方向に圧縮されることにより変形され、足Ｆによる圧力が解除されることで初期状態に復元される。すなわち、足Ｆによる圧力が上方から下方向に加えられれば、弾性構造体３００が足Ｆと踏抜き防止板２０との間で圧縮され、弾性構造体３００の厚さが初期状態に比べて減少される。
【０１０３】
ここで、加圧地点に位置する上部凹溝の形状が変形されてから復元されることで、加圧地点に位置する上部凹溝内に圧縮されたエアーが周辺に発散される。
【０１０４】
今まで様々な図面を参照して説明した本発明の実施形態に係る弾性構造体は、安全靴に含まれて体を正すための整形機能を有するものであり、インソール内に形成されて機械的な構造及び作用を介して圧力を吸収、分散、減少させることができる。また、個別的に変形及び復元される上部凹溝を含む弾性構造体から発散されるエアーを介して、体の不均衡及び病気を改善することができ、筋力を強化することもできる。
【０１０５】
図８は、本発明の一実施形態に係る弾性構造体を含む安全靴による体の不均衡改善程度を示す図である。
【０１０６】
最初の図面は、被試験者Ａが弾性構造体を含む安全靴を着用する前の体状態と約３９日の間に着用した後の体状態を比較したものである。
【０１０７】
着用する前には、左側圧力が４８．２３％、右側圧力が５１．７７％、前方圧力が３５．８９％、後方圧力が６４．１１％と測定されたが、着用した後には、左側圧力が４９．４５％、右側圧力が５０．５５％、前方圧力が６１．５４％、後方圧力が３８．４６％と測定された。
【０１０８】
後方に著しく傾けていた圧力が前方に移動して正常体形の圧力分布を有するよう、体の不均衡が改善されたことが分かる。
【０１０９】
また、画面に示されるカラーに関して、着用する前には後方に過大圧力であると分析される赤黒い面積が広く示されているが、着用した後には、全体的な足の形状も正常に示されながら赤黒い面積が著しく減少したことが確認される。
【０１１０】
より具体的に、足裏の反射区と関連づけて説明すれば、安全靴を着用する前に後方圧力が６４．１１％に示される部分は生殖器に関し、生殖器の部分に無理な圧力が加えられることにより、小便、前立腺、老廃物の浄化機能が低下した状態と判断される。
【０１１１】
また、全体的な足の形状と関連づけて説明すれば、安全靴を着用する前に、特に左側足の中間の部分が途切れたものと示されているが、被試験者Ａは、足のアーチ骨格の屈曲が激しい凹足型の体形を有するものと判断される。すなわち、脊椎を保護する筋力が弱くて椎間板ヘルニアなどの病気に脆弱な体形であると分析される。
【０１１２】
また、脊椎の反射区と関連づけて説明すれば、安全靴を着用する前に足の指形状が全く示されないが、被試験者Ａは、肩、首、頭などへの血流の流れが円滑ではないと判断され、肩、首、頭などに関する病気に露出された体形であると分析される。
【０１１３】
これに比べて、安全靴を着用した後には、後側のみが不均衡であった体形が正常体形に近接するよう改善されたことが確認される。それと共に、被試験者Ａの椎間板ヘルニア、五十肩、頭痛、小便機能の低下、消化不良、ストレス、うつ病、疲労感などの症状が改善されることができた。
【０１１４】
２番目の図面は、被試験者Ｂが弾性構造体を含む安全靴を着用する前の体状態と約１７日の間に着用した後の体状態とを比較したものである。
【０１１５】
本発明で提案する安全靴を着用することによって、被試験者Ｂも前述した被試験者Ａと同様に、体の不均衡の改善及び症状緩和などの効果があった。
【０１１６】
これは、約１、５００人のそれぞれ異なる環境と年齢の被試験者が着用する前の状態と着用した後の状態とを比したときに共通的に確認できた部分である。
【０１１７】
前述した本発明の説明は例示のためのものであり、本発明が属する技術分野の通常の知識を有する者は、本発明の技術的な思想でも必須の特徴を変更しなくても他の具体的な形態に容易に変形可能であることを理解できるのであろう。したがって、以上で記述した実施形態は、全ての面で例示的なものであり、限定的ではないものと理解されなければならない。例えば、単一型と説明されている各構成要素は分散して実施されてもよく、同様に、分散されたものと説明されている構成要素も結合形態に実施されてもよい。
【０１１８】
本発明の範囲は、前記詳細な説明より後述する特許請求の範囲によって示され、特許請求の範囲の意味及び範囲、そして、その均等概念から導き出される全ての変更又は変形された形態が本発明の範囲に含まれるものと解釈されなければならない。
【符号の説明】
【０１１９】
１０：アウトソール
２０：踏抜き防止板
３０：ミッドソール
４０：インソール
５０：トーキャップ
６０：甲皮
３００：弾性構造体
３１０：弾性構造体の上部面
３２０：弾性構造体の下部面
３３０：上部凹溝
３４０：支持部
３５０：下部凹溝
３６０：空いている空間
３７０：通気路
【図１】
2020503904.tif 000003
【図２ａ】
2020503904.tif 000004
【図２ｂ】
2020503904.tif 000005
【図３ａ】
2020503904.tif 000006
【図３ｂ】
2020503904.tif 000007
【図４ａ】
2020503904.tif 000008
【図４ｂ】
2020503904.tif 000009
【図５ａ】
2020503904.tif 000010
【図５ｂ】
2020503904.tif 000011
【図５ｃ】
2020503904.tif 000012
【図５ｄ】
2020503904.tif 000013
【図６】
2020503904.tif 000014
【図７ａ】
2020503904.tif 000015
【図７ｂ】
2020503904.tif 000016
【図８】
2020503904.tif 000017
【国際調査報告】
2020503904.tif 000018
2020503904.tif 000019
2020503904.tif 000020
2020503904.tif 000021